(57)【特許請求の範囲】
【請求項１】
基準位置に向きを合わせたゴルフクラブヘッドであって、
ヒール、トウ、上部部分、および底部部分と、
フェースセンタを有する打撃面と、
前方最大拡張部および後方最大拡張部と、
内側面および外側面と、
ホーゼルと、
周縁と、
ヘッド−トウ方向に測定したクラブヘッド全幅と、
前後方向に測定したクラブヘッド全長と、
幾何学中心と、
を有する本体と、
前記本体の前記内側面に結合された別個のおもり部材であって、少なくとも約３ｇ／ｃｍ３の密度と、上面図で見て少なくとも約２ｃｍ２の投影面積と、前記本体の前記内側面に近接した第１の面と、前記本体の前記内側面から離れた第２の面とを有し、上面図において、その質量の少なくとも７５％が、前記周縁と、前記クラブヘッド全長の０．３倍の距離だけ前記周縁から内側にずれた仮想の内側境界とで囲まれた３次元空間に配置されたおもり部材と、
を含み、
前記おもり部材を通る仮想鉛直面において、
前記本体の前記内側面は、第１の点および第２の点を含み、
仮想線が前記第１の点および前記第２の点を通り、
前記仮想線に対して垂直で、かつ前記第１の点を通る第１の仮想境界線が前記おもり部材を貫通し、
前記仮想線に対して垂直で、かつ前記第２の点を通る第２の仮想境界線が前記おもり部材を貫通し、
前記本体の前記内側面は、前記第１の点と前記第２の点との間で少なくとも１．２の凹凸度を有し、
前記おもり部材は、前記第１の点と前記第２の点との間で、最大で１．０の分離度お
よび最大で０．０７の一致度を有し、
前記凹凸度（Ｆｉｒｒ）は下記式（１）で定義され、前記分離度（Ｆｄｉｓｔ）は下記式（２）で定義され、前記一致度（Ｆｃｏｎｆ）は下記式（３）で定義される、ゴルフクラブヘッド。
Ｆｉｒｒ＝（Ｌｓｕｒｆ，ｉｎｔ／Ｌｎｏｍ，ｉｎｔ）２・・・（１）
Ｆｄｉｓｔ＝ｄａｖｇ／Ｌｓｕｒｆ，ｉｎｔ・・・（２）
Ｆｃｏｎｆ＝σｄ／ｄａｖｇ・・・（３）
（ここで、Ｌｎｏｍは前記第１の点と前記第２の点との間の最短距離である前記内側面の基準長さ、Ｌｓｕｒｆは前記第１の点と前記第２の点との間の前記内側面の実長である前記内側面の表面長さ、ｄａｖｇは前記おもり部材の前記第２の面と前記本体の前記内側面との間の複数の距離の平均値、σｄはその距離の標準偏差である。）
【請求項２】
前記第１の点と前記第２の点との間で、前記仮想線を含む鉛直面内で、前記仮想線に対してそれぞれ垂直方向に測定した、前記おもり部材の前記第１の面と、前記本体の前記内側面との間の距離の平均値である平均ギャップ距離をさらに有し、前記ギャップ距離は最大で約１．０ｍｍである、請求項１に記載のゴルフクラブヘッド。
【請求項３】
前記おもり部材の前記分離度は少なくとも０．１である、請求項１に記載のゴルフクラブヘッド。
【請求項４】
前記おもり部材の前記一致度は最大で０．０５であり、前記おもり部材の前記分離度は少なくとも０．２５である、請求項１に記載のゴルフクラブヘッド。
【請求項５】
前記仮想鉛直面において、
前記おもり部材は、第１の横方向端点および第２の横方向端点をさらに含み、
前記第１の仮想境界線は、前記第１の横方向端点を通り、前記第２の仮想境界線は、前記第２の横方向端点を通る、請求項１に記載のゴルフクラブヘッド。
【請求項６】
前記本体の前記内側面の前記凹凸度は少なくとも１．２５である、請求項１に記載のゴルフクラブヘッド。
【請求項７】
前記本体の前記内側面の前記凹凸度は少なくとも１．３０である、請求項１に記載のゴルフクラブヘッド。
【請求項８】
前記おもり部材は、ヒール−トウ方向におもり部材幅をさらに有し、前記おもり部材幅の前記クラブヘッド全幅に対する比率は少なくとも０．３である、請求項１に記載のゴルフクラブヘッド。
【請求項９】
前記おもり部材は、前記本体の前記底部部分に結合され、
前記本体の前記底部部分は、少なくとも約１０％の伸び率を有する材料を含む、請求項１に記載のゴルフクラブヘッド。
【請求項１０】
前記おもり部材は、溶接、ろう付け、接着剤接合、および機械的留め具からなる群から選択された取り付け方法で前記本体に固定される、請求項１に記載のゴルフクラブヘッド。
【請求項１１】
クラブヘッド総質量をさらに有し、前記おもり部材の前記質量の前記クラブヘッド総質量に対する比率は少なくとも０．０４である、請求項１に記載のゴルフクラブヘッド。
【請求項１２】
約１５０ｇと約２２５ｇとの間のクラブヘッド総質量をさらに含む、請求項１に記載の
ゴルフクラブヘッド。
【請求項１３】
体積が少なくとも約２５０ｃｍ３である、請求項１に記載のゴルフクラブヘッド。
【請求項１４】
前記おもり部材は周縁凹部をさらに含む、請求項１に記載のゴルフクラブヘッド。
【請求項１５】
前記おもり部材は複数の周縁凹部を含む、請求項１４に記載のゴルフクラブヘッド。
【請求項１６】
前記おもり部材は第１の材料を含み、前記周縁凹部は、前記第１の材料とは異なる第２の材料を少なくとも部分的に充填される、請求項１４に記載のゴルフクラブヘッド。
【請求項１７】
前記第２の材料は、前記おもり部材を前記本体の前記内側面に結合する、請求項１６に記載のゴルフクラブヘッド。
【請求項１８】
前記おもり部材の前記第１の面は第１の位置決め体を有し、前記本体の前記内側面は第２の位置決め体を有し、前記第１および第２の位置決め体は互いに相補的である、請求項１に記載のゴルフクラブヘッド。
【請求項１９】
前記おもり部材は、金属およびポリマーからなる群から選択された材料を含む、請求項１に記載のゴルフクラブヘッド。
【請求項２０】
約３０００〜約４５００Ｈｚの一次固有振動数をさらに有する、請求項１に記載のゴルフクラブヘッド。
【請求項２１】
少なくとも約４０００ｇ・ｃｍ２の慣性モーメントＩｚｚをさらに有する、請求項１に記載のゴルフクラブヘッド。
【請求項２２】
少なくとも約４５００ｇ・ｃｍ２の慣性モーメントＩｚｚをさらに有する、請求項１に記載のゴルフクラブヘッド。
【請求項２３】
全高をさらに有し、前記おもり部材の前記質量の少なくとも７５％は、前記全高の０．０３倍の距離だけ大地面から離間した第１の仮想水平面と、前記全高の０．２５倍の距離だけ前記大地面から離間した第２の仮想水平面との間にある、請求項１に記載のゴルフクラブヘッド。
【請求項２４】
前記おもり部材の前記質量の少なくとも７５％が、前記第１の仮想水平面と前記第２の仮想水平面との間にある、請求項２３に記載のゴルフクラブヘッド。
【請求項２５】
基準位置に向きを合わせたゴルフクラブヘッドであって、
ヒール、トウ、上部部分、および底部部分と、
フェースセンタを有する打撃面と、
前方最大拡張部、および後方最大拡張部と、
内側面、および外側面と、
周縁と、
ホーゼルと、
前後方向に測定したクラブヘッド全長と、
ヘッド−トウ方向に測定したクラブヘッド全幅と、
を有する本体と、
前記本体の前記内側面に結合された別個のおもり部材であって、少なくとも約３ｇ／ｃｍ３の密度と、上面図で見て少なくとも約２ｃｍ２の投影面積と、前記本体の前記内側面
に近接した第１の面と、前記本体の前記内側面から離れた第２の面とを有し、上面図において、その質量の少なくとも７５％が、前記周縁と、前記クラブヘッド全長の０．３倍の距離だけ前記周縁から内側にずれた仮想の内側境界とで囲まれた３次元空間に配置された、おもり部材と、
を含み、
前記おもり部材を貫通する仮想鉛直面において、
前記本体の前記内側面は、第１の点および第２の点を含み、
仮想線が前記第１の点および前記第２の点を通り、
前記仮想線に対して垂直で、かつ前記第１の点を通る第１の仮想境界線が前記おもり部材を貫通し、
前記仮想線に対して垂直で、かつ前記第２の点を通る第２の仮想境界線が前記おもり部材を貫通し、
前記第１の仮想境界線は、前記第２の面との交点である第３の点を含み、
前記第２の仮想境界線は、前記第２の面との交点である第４の点を含み、
前記おもり部材は、前記第１の点と前記第２の点との間で、最大で１．０の分離度を有し、
前記おもり部材の前記第２の面は、前記第３の点と前記第４の点との間で、少なくとも１．２０の第２の面凹凸度を有し、
前記本体の前記内側面は、前記第１の点と前記第２の点との間で、少なくとも１．２０の内側面凹凸度を有し、
前記第２の面凹凸度の前記内側面凹凸度に対する比率は０．７０〜１．３であり、
前記内側面凹凸度（Ｆｉｒｒ）は下記式（１）で定義され、前記分離度（Ｆｄｉｓｔ）は下記式（２）で定義され、前記一致度（Ｆｃｏｎｆ）は下記式（３）で定義され、前記第２の面凹凸度（Ｆｉｒｒ，２）は下記式（４）で定義される、ゴルフクラブヘッド。Ｆｉｒｒ＝（Ｌｓｕｒｆ，ｉｎｔ／Ｌｎｏｍ，ｉｎｔ）２・・・（１）
Ｆｄｉｓｔ＝ｄａｖｇ／Ｌｓｕｒｆ，ｉｎｔ・・・（２）
Ｆｃｏｎｆ＝σｄ／ｄａｖｇ・・・（３）
Ｆｉｒｒ，２＝（Ｌｓｕｒｆ，２／Ｌｎｏｍ，２）２・・・（４）
（ここで、Ｌｎｏｍ，ｉｎｔは前記第１の点と前記第２の点との間の最短距離である前記内側面の基準長さ、Ｌｓｕｒｆ，ｉｎｔは前記第１の点と前記第２の点との間の前記内側面の実長である前記内側面の表面長さ、ｄａｖｇは前記おもり部材の前記第２の面と前記本体の前記内側面との間の複数の距離の平均値、σｄはその距離の標準偏差、Ｌｎｏｍ，２は前記第３の点と前記第４の点との間の最短距離である前記第２の面の基準長さ、Ｌｓｕｒｆ，２は前記第３の点と前記第４の点との間の前記第２の面の実長である。）
【請求項２６】
前記第２の面凹凸度の前記内側面凹凸度に対する比率は０．８５〜１．１５である、請求項２５に記載のゴルフクラブヘッド。
【請求項２７】
前記おもり部材の前記分離度は０．２５〜１．０である、請求項２５に記載のゴルフクラブヘッド。
【請求項２８】
前記第１の点と前記第２の点との間で、前記仮想線を含む鉛直面内で前記仮想線に対してそれぞれ垂直方向に測定された、前記おもり部材の前記第１の面と、前記本体の前記内側面との間の距離の平均値である平均ギャップ距離が最大で１．０ｍｍである、請求項２５に記載のゴルフクラブヘッド。
【発明の詳細な説明】
【技術分野】
【０００１】
本発明は、おもり部材を有するゴルフクラブヘッドに関する。
【０００２】
（著作権許諾）
以下の開示は著作権保護の対象となり得る。著作権所有者は、特許庁に記録が残る場合、この開示を含む文献の、何人による複製にも異議を唱えないが、それ以外については、適用可能なすべての著作権を保有する。
【０００３】
（関連米国出願）
米国仮特許出願第８０９８３３７号明細書、２０１０年７月２７日出願。
【背景技術】
【０００４】
ゴルフクラブの製造における共通の関心事は、クラブヘッドの構造上の完全性を維持しながら、質量塊を可能な限りクラブヘッド内の所望の位置に配置できるようにすることである。目標質量は、完成後のクラブヘッドの所望の総質量に対応して選択されることが多い。目標質量は、ヘッドに組み込むことができるシャフトの予測される最大長さと、シャフトに嵌合できるグリップの選択とで決まり得る。クラブヘッドの最小構造質量とは、使用時にクラブヘッドにかかる通常の負荷に耐えることができる、所望の形状を有するクラブヘッドを作製するのに必要なすべての構造部品の最小質量に相当する。目標質量と最小構造質量との差、すなわち自由裁量的質量は、最大化することを求められることが多い。
【０００５】
自由裁量的質量の配置は、クラブヘッドの性能にかかわる特性に影響を及ぼすとして公知である。例えば、そのような配置は、クラブヘッドの重心位置に影響する。また、クラブヘッドのまわりに自由裁量的質量を配置することで、重心を通る慣性主軸の向き、ならびに主軸のまわりの慣性モーメントおよび慣性相乗モーメントが影響を受ける。
【０００６】
重心位置に関して、（クラブヘッドの底部、すなわちソールに近接する）低くて（クラブヘッドの打撃面のフェースセンタから後方に）深い重心により、ゴルフボールに当たった瞬間の打ち出し状態が有利になる。具体的には、低い重心により、打ち上げ角が大きくなり、ボールのスピンが少なくなって、飛距離および総距離が伸びる。より深い重心により、インパクト時にゴルフボールにかかるバックスピンが少なくなる。
【０００７】
クラブヘッドを大きくすることへのゴルファーの要望が高まっているため、自由裁量的質量の最大化およびその位置の最適化に対する関心がさらに大きくなっている。例えば、従来のヘッド形状を維持しながらヘッド体積を増やすことで、おもりへの割当量が減り、ひいては、クラブヘッドの性能に対する改良性が低くなる。
【０００８】
これらの問題を軽減するためにいくつかの試みがなされてきたが、相反する結果となった。ゴルフクラブメーカーは、クラウン、ソール、またはスカートなどのメタルウッドヘッド部分用に薄肉鋳造技術を改良した。さらに、メーカーは、クラブヘッドの特定の部分に対して、鋼またはチタンなどの従来のヘッド材料より大きい比強度（最大抗張力を比重で除したもの）を有する材料を次第に選択するようになった。しかし、これらのタイプのクラブヘッドは通常、製造するのに高い費用がかかる。さらに、これらのクラブヘッドの音響特性が損なわれた。そのほか、メーカーは、ヘッド部分を形成するのに、複合材料、例えば、炭素繊維入り強化エポキシ樹脂、または炭素繊維入り強化ポリマーを適用した。しかし、そのようなヘッドは、概ね複合材料に関連する耐久性、性能、および製造問題が生じている。
【発明の概要】
【発明が解決しようとする課題】
【０００９】
本発明の目的は、望ましい重心位置、および大きい慣性モーメントなどのクラブヘッドに有益な全質量特性をもたらし、組立精度を高め、生産コストを削減するように構成されたおもり部材を有するゴルフクラブヘッドを提供することである。
【課題を解決するための手段】
【００１０】
本発明の１つまたは複数の態様では、基準位置に向きを合わせたゴルフクラブヘッドは、ヒール、トウ、上部部分、底部部分、フェースセンタを有する打撃面、前方最大拡張部、後方最大拡張部、内側面、外側面、ホーゼル、周縁、ヒール−トウ方向に測定したクラブヘッド全幅、前部−後部方向に測定したクラブヘッド全長、および幾何学的中心を有する本体を含む。別個のおもり部材が、本体の内側面に結合される。おもり部材は、少なくとも約３ｇ／ｃｍ３の密度、上面図で見て少なくとも約２ｃｍ２の投影面積、本体の内側面に近接した第１の面、および本体の内側面から離れた第２の面を有する。おもり部材の質量の大部分は、上面図において、周縁と、クラブヘッド全長の０．３倍の距離だけ周縁から内側にずれた仮想の内側境界とで囲まれた３次元空間に配置される。おもり部材を通る仮想鉛直面において、本体の内側面は第１の点および第２の点を含み、仮想線が第１の点および第２の点を通り、仮想線に対して垂直で、かつ第１の点を通る第１の仮想境界線がおもり部材を貫通し、仮想線に対して垂直で、かつ第２の点を通る第２の仮想境界線がおもり部材を貫通する。本体の内側面は、第１の点と第２の点との間で、すくなくとも１．２の凹凸度を有する。おもり部材は、第１の点と第２の点との間で、最大で１．０の分離度および最大で０．０７の一致度を有する。
【００１１】
本発明の１つまたは複数の態様では、基準位置に向きを合わせたゴルフクラブヘッドは、ヒール、トウ、上部部分、底部部分、フェースセンタを有する打撃面、前方最大拡張部、後方最大拡張部、内側面、外側面、周縁、ホーゼル、前部−後部方向に測定したクラブヘッド全長、およびヒール−トウ方向に測定したクラブヘッド全幅を有する本体を含む。別個のおもり部材が、本体の内側面に結合される。おもり部材は、少なくとも約３ｇ／ｃｍ３の密度、上面図で見て少なくとも約２ｃｍ２の投影面積、本体の内側面に近接した第１の面、および本体の内側面から離れた第２の面を有する。おもり部材の質量の大部分は、上面図において、周縁と、クラブヘッド全長の０．３倍の距離だけ周縁から内側にずれた仮想の内側境界とで囲まれた３次元空間に配置される。おもり部材を通る仮想鉛直面において、本体の内側面は第１の点および第２の点を含み、仮想線が第１の点および第２の点を通る。仮想線に対して垂直で、かつ第１の点を通る第１の仮想境界線がおもり部材を貫通する。仮想線に対して垂直で、かつ第２の点を通る第２の仮想境界線がおもり部材を貫通する。おもり部材は、第１の点と第２の点との間で、最大で１．０の分離度を有する。おもり部材の第２の面は、第１の点と第２の点との間で、少なくとも１．２０の第２の面凹凸度を有する。本体の内側面は、第１の点と第２の点との間で、少なくとも１．２０の内側面凹凸度を有する。第２の面凹凸度の内側面凹凸度に対する部品間比率は０．７０〜１．３である。
【００１２】
各種実施例の一つまたは複数で示されるような、様々な態様の本発明によるゴルフクラブヘッドのこれらのおよび他の特徴および利点が、下記の説明、添付図面、および添付の特許請求の範囲を検討した後、明らかになるであろう。下記に説明する図面は単に例示を目的としており、本発明の範囲を限定することを意図されていない。
【００１３】
添付図面を参照して、本発明の例示的な実施について以下に説明する。
【図面の簡単な説明】
【００１４】
【図１】本発明の一つまたは複数の態様による例示的なゴルフクラブヘッドの上面図である。
【図１（ａ）】本発明の一つまたは複数の態様による例示的なゴルフクラブヘッドの正面図である。
【図１（ｂ）】本発明の一つまたは複数の態様による図１（ａ）の例示的なゴルフクラブヘッドの斜視図である。
【図１（ｃ）】図１（ａ）の例示的なゴルフクラブヘッドの正面図であり、テンプレートがゴルフクラブヘッドの前部に付けられている。
【図２】本発明の一つまたは複数の態様による例示的なゴルフクラブヘッドの上面図である。
【図３】本発明の一つまたは複数の態様による例示的なゴルフクラブヘッドの底面図である。
【図４】本発明の一つまたは複数の態様による例示的なゴルフクラブヘッドの正面図である。
【図５】本発明の一つまたは複数の態様による例示的なゴルフクラブヘッドの上面図である。
【図６】本発明の一つまたは複数の態様による例示的なゴルフクラブヘッドの正面図である。
【図７】本発明の一つまたは複数の態様による例示的なゴルフクラブヘッドの上面図である。
【図８】本発明の一つまたは複数の態様による例示的なゴルフクラブヘッドの斜視図である。
【図９】図８の例示的なゴルフクラブヘッドの主慣性モーメントを測定するための測定器を示している。
【図１０】図８の例示的なゴルフクラブヘッドの二次的な慣性モーメントを測定するための測定器を示している。
【図１１】図９および図１０に示す測定器で利用される治具プレートの斜視図である。
【図１２（ａ）】本発明の一つまたは複数の態様による例示的なゴルフクラブヘッドの斜視図である。
【図１２（ｂ）】本発明の一つまたは複数の態様による図１２（ａ）の例示的なゴルフクラブヘッドの切り取り斜視図である。
【図１２（ｃ）】本発明の一つまたは複数の態様による図１２（ａ）の例示的なゴルフクラブヘッドの分解斜視図である。
【図１３（ａ）】本発明の一つまたは複数の態様による例示的なゴルフクラブヘッドの上面図である。
【図１３（ｂ）】本発明の一つまたは複数の態様による、Ａ−Ａ’面を横断する、図１３（ａ）の例示的なゴルフクラブヘッドの側部断面図である。
【図１３（ｃ）】図１３（ｂ）に示す断面の一部分の側部断面図である。
【図１３（ｄ）】さらに詳細に示した図１３（ｃ）の一部分の側部断面図である。
【図１３（ｅ）】さらに詳細に示した図１３（ｃ）の一部分の側部断面図である。
【図１３（ｆ）】さらに詳細に示した図１３（ｃ）の一部分の側部断面図である。
【図１３（ｇ）】さらに詳細に示した図１３（ｃ）の一部分の側部断面図である。
【図１３（ｈ）】さらに詳細に示した図１３（ｃ）の一部分の側部断面図である。
【図１３（ｉ）】本発明の一つまたは複数の態様による、Ｂ−Ｂ’面を横断する、図１３（ａ）の例示的なゴルフクラブヘッドの側部断面図である。
【図１４（ａ）】本発明の一つまたは複数の態様による例示的なゴルフクラブヘッドの上面図である。
【図１４（ｂ）】本発明の一つまたは複数の態様による、Ａ−Ａ’面を横断する、図１４（ａ）の例示的なゴルフクラブヘッドの側部断面図である。
【図１４（ｃ）】図１４（ｂ）に示す断面の一部分の側部断面図である。
【図１４（ｄ）】さらに詳細に示した図１４（ｃ）の一部分の側部断面図である。
【図１４（ｅ）】さらに詳細に示した図１４（ｃ）の一部分の側部断面図である。
【図１４（ｆ）】さらに詳細に示した図１４（ｃ）の一部分の側部断面図である。
【図１４（ｇ）】さらに詳細に示した図１４（ｃ）の一部分の側部断面図である。
【図１５】本発明の一つまたは複数の態様による例示的なゴルフクラブヘッドの上面図である。
【図１６】本発明の一つまたは複数の態様による例示的なゴルフクラブヘッドの上面図である。
【図１７】本発明の一つまたは複数の態様による例示的なゴルフクラブヘッドの上面図である。
【図１８（ａ）】本発明の一つまたは複数の態様による例示的なゴルフクラブヘッドの上面図である。
【図１８（ｂ）】図１８（ａ）の例示的なゴルフクラブヘッドの側面図である。
【図１９（ａ）】本発明の一つまたは複数の態様による例示的なゴルフクラブヘッドの上面図である。
【図１９（ｂ）】本発明の一つまたは複数の態様による例示的なゴルフクラブヘッドの上面図である。
【図２０（ａ）】本発明の一つまたは複数の態様による例示的なゴルフクラブヘッドの斜視図である。
【図２０（ｂ）】本発明の一つまたは複数の態様による、第１の組立状態にある、図２０（ａ）の例示的なゴルフクラブヘッドの切り取り斜視図である。
【図２０（ｃ）】本発明の一つまたは複数の態様による、第２の組立状態にある、図２０（ａ）の例示的なゴルフクラブヘッドの切り取り斜視図である。
【図２１（ａ）】本発明の一つまたは複数の態様による例示的なゴルフクラブヘッドの斜視図である。
【図２１（ｂ）】本発明の一つまたは複数の態様による図２１（ａ）の例示的なゴルフクラブヘッドの切り取り斜視図である。
【図２１（ｃ）】本発明の一つまたは複数の態様による図２１（ａ）の例示的なゴルフクラブヘッドのおもり部材の上面図である。
【図２２】本発明の一つまたは複数の態様による例示的なゴルフクラブヘッドの上面図である。
【発明を実施するための形態】
【００１５】
説明することを目的としているため、これらの図面は必ずしも一定の縮尺で描かれていない。すべての図面において、同じ部品は同じ参照数字で示されている。
【００１６】
本発明の１つまたは複数の態様によるゴルフクラブヘッドの例が、下記に提示する１つまたは複数の定義を使用して説明される。
【００１７】
図１〜１（ｃ）を参照すると、本発明の１つまたは複数の態様では、ゴルフクラブヘッド１０１は、トウ部分１０８、ヒール部分１１０、底部部分１１２、上部部分１１４、前縁１１６を有する打撃面１０６、およびシャフト（図示せず）を受け入れるためのホーゼル１００を含む。ホーゼル１００は、ホーゼル中心線１０２（図１（ａ）を参照のこと）を有する。打撃面１０６は、クラブヘッド１０１と一体とするか、または、例えば、溶接、ろう付け、接着剤結合、または機械的な結合によってクラブヘッドに結合することができる。打撃面１０６はフェースセンタ１１８を含む。
【００１８】
図１（ａ）〜１（ｃ）を参照すると、「フェースセンタ」、例えば、フェースセンタ１１８は、本明細書において、ヒール−トウ軸１２０が上部−底部軸１２２に直交する座標系を有するテンプレート１２６を使用して位置を特定することができる。開孔１２４は座標系の原点に配置され、軸には等間隔刻みで目盛りが付けられている。テンプレート１２６は、可撓性材料、例えば、透明なシート状ポリマーで作製することができる。
【００１９】
フェースセンタ１１８の位置は以下の通りに決められる。最初に、開孔１２４が打撃面１０６のほぼ中央にあり、ヒール−トウ軸１２０が線１３５とほぼ平行になるように、テンプレート１２６を前面１２８にあてがう。次いで、打撃面１０６の両縁部で、軸１２０に沿ったヒールおよびトウでの測定値が同じ絶対値を有するまで、テンプレート１２６を打撃面１０６に沿ってヒール−トウ方向に平行移動させる。打撃面１０６に対してテンプレート１２６をヒール−トウ方向の中心に置いた時点で、打撃面１０６の両縁部で、軸１２２に沿った測定値が同じ絶対値を有するまで、テンプレート１２６を打撃面１０６に沿って上部−底部方向に平行移動させる。軸１２０に沿ったヒールでの測定値の絶対値が、トウでの測定値の絶対値と等しくなり、軸１２２に沿った底部での測定値の絶対値が、上部での測定値の絶対値と等しくなるまで、上記の一連の動作を繰り返す。次いで、フェースセンタ１１８を示すために、開孔１２４を通して前面に点で印を付ける。
【００２０】
テンプレート１２６などの位置特定テンプレートは、全米ゴルフ協会（ＵＳＧＡ）のＰｒｏｃｅｄｕｒｅ  ｆｏｒ  Ｍｅａｓｕｒｉｎｇ  ｔｈｅ  Ｆｌｅｘｉｂｉｌｉｔｙ  ｏｆ  ａ  Ｇｏｌｆ  Ｃｌｕｂｈｅａｄ（バージョン２．０、２００５年３月２５日）に示されており、ＵＳＧＡから入手可能である。
【００２１】
図１および図１（ａ）を参照して、本明細書では、「基準位置」という用語は、クラブヘッドの位置を意味し、ホーゼル１００はホーゼル中心線１０２を有する。図１（ａ）に示すように、ホーゼル中心線１０２は、水平大地面１４２に対して６０°のライ角αで向きを合わされ、打撃面１０６に対して概ね平行な仮想の水平線１３５を含む仮想の鉛直ホーゼル面１０４内にある。別途指摘がない限り、すべてのパラメータは、クラブヘッド１０１が基準位置にある状態で特定される。
【００２２】
図１を参照して、本明細書では、「上部部分」、例えば、上部部分１１４とは、クラブヘッド１０１が基準位置にある状態の上面図で見ることができるクラブヘッド１０１の、打撃面１０６およびホーゼル１００を除いた部分を意味する。
【００２３】
図２を参照して、本明細書では、「周縁」、例えば、ゴルフクラブヘッド１０１の周縁１３９とは、上面図でのクラブヘッド１０１の周囲境界を意味する。
【００２４】
図３を参照して、本明細書では、「底部部分」、例えば、底部部分１１２とは、クラブヘッド１０１が基準位置にある状態の底面図で見ることができるクラブヘッド１０１の、ホーゼル１００を除いた部分を意味する。
【００２５】
図４を参照して、本明細書では、「中心頂部」、例えば、中心頂部１３８とは、クラブヘッド１０１が基準位置にある状態での、仮想の鉛直面１４０と打撃面１０６の上部との交点を指す。仮想の鉛直面１４０は、仮想のホーゼル面１０４に対して垂直に向けられ、フェースセンタ１１８を通る。
【００２６】
図５を参照して、本明細書では、「全長」、例えば、全長Ｌｏとは、ゴルフクラブヘッド１０１が基準位置にあるとして、仮想のホーゼル面１０４に対して平行で、かつ中心頂部１３８を通る第１の仮想鉛直面１４４と、第１の仮想鉛直面１４４に対して平行で、かつクラブヘッド１０１の後方最大拡張部１３２を通る第２の仮想鉛直面１４６との間の最短水平距離を意味する。
【００２７】
図６を参照して、本明細書では、「前部トウ点」、例えば、前部トウ点１５１とは、トウ部分１０８に近接した、打撃面１０６の最も遠い横方向突出点を意味する。前部トウ点１５１を通る仮想水平面１６０は、点１５８でホーゼル中心線１０２と交差する。本明細書では、「ホーゼル」、例えば、ホーゼル１００とは、ホーゼル中心線１０２に対して垂直で、かつ点１５８を含む仮想平面１５６によってヘッド１０１の残りの部分から分けられるクラブヘッド１０１の部分を意味する。
【００２８】
再度図６を参照して、本明細書では、「全幅」例えば、全幅Ｗｏとは、仮想ホーゼル面１０４（例えば、図４を参照のこと）に対して垂直で、かつ一番トウ側の点１５２を通る第１の仮想鉛直面１４８と、ホーゼル面１０４に対して垂直で、かつ仮想平面１５６の一番ヒール側の点１５４を通る第２の仮想鉛直面１５０との間の最短水平距離を意味する。
【００２９】
「全高」、例えば、全高Ｈｏとは、ゴルフクラブヘッド１０１が基準位置にある状態で、大地面１４２から、ホーゼル部分１００を含まないゴルフクラブヘッド１０１の最高点１３０までの鉛直距離を意味する。
【００３０】
図７に示すように、基準位置に向きを合わせたクラブヘッド１０１は、打撃面１０６に対して実質的に直角で、かつフェースセンタ１１８を通る仮想鉛直面１６２と、仮想鉛直面１６２に対して直角で、かつ中心頂部１３８から全長Ｌｏの半分ほど離間した仮想鉛直面１６４とによって４つの象限に分割されている。第１象限である「象限１」は、クラブヘッド１０１の打撃面１０６およびヒール部分１１０に近接している。第２象限である「象限２」は、クラブヘッド１０１の打撃面１０６およびトウ部分１０８に近接している。第３象限である「象限３」は、トウ部分１０８に近接し、「象限２」の後方に配置されている。第４象限である「象限４」は、ヒール部分１１０に近接し、「象限１」の後方に配置されている。
【００３１】
図８は、基準位置に向きを合わせたクラブヘッド１０１の重心ＣＧに原点がある、軸ｘ、ｙ、ｚを有する仮想の３次元直交座標系を示している。ｚ軸は鉛直方向であり、ホーゼル中心線１０２を含むホーゼル面１０４に対して平行である。ｙ軸は、ホーゼル面１０４に対して実質的に平行であり、ｚ軸に対して垂直である。ｘ軸は、ｚ軸およびｙ軸に対して垂直である。
【００３２】
クラブヘッド１０１のｚ軸まわりの慣性モーメントＩｚｚ（主ＭＯＩ（慣性モーメント））およびｙ軸まわりの慣性モーメントＩｙｙ（二次的なＭＯＩ）は、全米ゴルフ協会（ＵＳＧＡ）およびＲ＆Ａ  Ｒｕｌｅｓ  Ｌｉｍｉｔｅｄ  （Ｒ＆Ａ）によって指定されたＰｒｏｃｅｄｕｒｅ  ｆｏｒ  Ｍｅａｓｕｒｉｎｇ  ｔｈｅ  Ｍｏｍｅｎｔ  ｏｆ  Ｉｎｅｒｔｉａ  ｏｆ  Ｇｏｌｆ  Ｃｌｕｂｈｅａｄｓ、Ｒｅｖｉｓｉｏｎ  １．０（２００６年４月１２日）に開示された一般的な方法を使用して求めることができ、Ｉｙｙを測定するための手順の修正について下記に説明する。ＵＳＧＡのＰｒｏｃｅｄｕｒｅ  ｆｏｒ  Ｍｅａｓｕｒｉｎｇ  ｔｈｅ  Ｍｏｍｅｎｔ  ｏｆ  Ｉｎｅｒｔｉａ  ｏｆ  Ｇｏｌｆ  Ｃｌｕｂｈｅａｄｓおよび付属の「ＵＳＧＡ  ＭＯＩ  Ｃａｌｃｕｌａｔｉｏｎ．ｘｌｓ」プログラムは、参照により、それらの全体を本明細書に援用するものとする。
【００３３】
ＵＳＧＡのＰｒｏｃｅｄｕｒｅ  ｆｏｒ  Ｍｅａｓｕｒｉｎｇ  ｔｈｅ  Ｍｏｍｅｎｔ  ｏｆ  Ｉｎｅｒｔｉａ  ｏｆ  Ｇｏｌｆ  Ｃｌｕｂｈｅａｄｓに記載されているように、ゴルフクラブヘッドのものと同様な質量特性および全体寸法を有する試験部品の慣性モーメントを測定するために設計された測定器１６６（図９および図１０を参照のこと）、例えば、Ｎｅｗ  Ｈａｒｔｆｏｒｄ，  Ｃｏｎｎｅｃｔｉｃｕｔに所在のＩｎｅｒｔｉａ  Ｄｙｎａｍｉｃｓ，  Ｉｎｃ．から入手可能なＭｏｍｅｎｔ  ｏｆ  Ｉｎｅｒｔｉａ  Ｉｎｓｔｒｕｍｅｎｔ  （Ｍｏｄｅｌ  ＃ＭＯＩ−００５−１０４）を使用して、ゴルフクラブヘッド１０１のｚ軸まわりの慣性モーメントＩｚｚおよびｙ軸まわりの慣性モーメントＩｙｙを求めることができる。もう一度図９および図１０を参照すると、ＵＳＰＧのＰｒｏｃｅｄｕｒｅ  ｆｏｒ  Ｍｅａｓｕｒｉｎｇ  ｔｈｅ  Ｍｏｍｅｎｔ  ｏｆ  Ｉｎｅｒｔｉａ  ｏｆ  Ｇｏｌｆ  Ｃｌｕｂｈｅａｄｓに記載された水平治具プレート１６８は、測定器１６６に取り付けられており、治具プレート１６８および測定器１６６は水平である。
【００３４】
図１１に示すように、治具プレート１６８は、第１の側１７２および第２の側１７４を有する。第１の側１７２は、取付ピン１７６を含み、第２の側１７４は、取付ピン１７８を含む。ピン１７６、１７８は、治具プレート１６８に対して長手方向に配置された行と、治具プレート１６８に対して横方向に配置された列とを含む。
【００３５】
クラブヘッド１０１の主ＭＯＩを測定するために、アダプタ１８０（図９）を使用して、クラブヘッド１０１の底部部分１１２が上向きになり、ホーゼル中心線１０２と仮想の水平面１７０との間の角度θをほぼ６０°としてクラブヘッド１０１が配置されるように、治具プレート１６８に対してクラブヘッド１０１の向きを合わる。さらに、クラブヘッド１０１の打撃面１０６は、取付ピン１７６、１７８の長手方向の行に対して実質的に平行である。クラブヘッド１０１の主ＭＯＩを測定するために、治具プレート１６８の第１の側１７２のピン１７６は、右利き用のクラブヘッドに使用され、治具プレート１６８の第２の側１７４のピン１７８は、左利き用のクラブヘッドに使用される。
【００３６】
クラブヘッド１０１の二次的ＭＯＩを測定するために、アダプタ１８０（図１０）を利用して、クラブヘッド１０１の底部部分１１２が実質的に鉛直方向になるように、治具プレート１６８に対してクラブヘッド１０１の向きを合わせる。言い換えると、クラブヘッド１０１は、ホーゼル中心線１０２と仮想の鉛直面１８２との間の角度βがほぼ６０°になるように治具プレート１６８に対して配置される。
【００３７】
さらに、ＵＳＧＡのＰｒｏｃｅｄｕｒｅ  ｆｏｒ  Ｍｅａｓｕｒｉｎｇ  ｔｈｅ  Ｍｏｍｅｎｔ  ｏｆ  Ｉｎｅｒｔｉａ  ｏｆ  Ｇｏｌｆ  Ｃｌｕｂｈｅａｄｓに提示されるように、クラブヘッド１０１の打撃面１０６は、取付ピン１７６、１７８の長手方向の行に対して実質的に平行である。クラブヘッド１０１の二次的ＭＯＩを測定するために、治具プレート１６８の第１の側１７２の取付ピン１７６は、左利き用のクラブヘッドに使用され、治具プレート１６８の第２の側１７４のピン１７８は、右利き用のクラブヘッドに使用される。
【００３８】
図１２（ａ）〜１２（ｃ）を参照すると、本発明の１つまたは複数の態様では、ゴルフクラブヘッド１０１は、上部部分１１４、底部部分１１２、打撃面１０６、およびホーゼル部分１００を含む本体を有する。本体は、外側面１８４ａおよび反対側の内側面１８４ｂをさらに含む（例えば、図１２（ｂ）を参照のこと）。おもり部材１８６は、クラブヘッド１０１の内側面１８４ｂに固定されている。ゴルフクラブヘッド１０１は、約２５０ｃｍ３以上の体積、および約１５０ｇ以上の質量を有するのが好ましい。ゴルフクラブヘッド１０１は、約３５０ｃｍ３以上の体積、および約１７５ｇ以上の質量を有するのがより好ましい。ゴルフクラブヘッド１０１は、約４００ｃｍ３以上の体積、および約１９０ｇ以上の質量を有するのが最も好ましい。ゴルフクラブヘッド１０１は、ウッドタイプのゴルフクラブヘッドであるのが好ましい。ただし、本発明の１つまたは複数の態様では、ゴルフクラブヘッド１０１は、アイアンタイプまたはパタータイプのゴルフクラブヘッドであってよい。
【００３９】
図１３（ａ）〜１３（ｂ）を参照すると、ゴルフクラブヘッド１０１の底部部分１１２は、凹凸のある輪郭部分２４２を含む（図１３（ｂ）を参照のこと）。具体的には、ゴルフクラブヘッド１０１の底部部分１１２は、湾曲が急激に変化する部分を含む。本発明の１つまたは複数の態様では、底部部分１１２またはクラブヘッド１０１の他の任意の面は、屈曲、鋭角、起伏、隆起、溝、突起、または凹部を含むことができる。そのような凹凸のある輪郭は、クラブヘッド１０１の剛性を改善し、空力特性を改善し、美観を改善することができる。さらに、クラブヘッド１０１の一部の剛性を改善することにより、クラブヘッド１０１のより望ましい部分に質量塊を移すことができる。凹凸のある輪郭の面は、鋳造によって、または曲げ加工、スタンピング、プレス加工を含めることができる鍛造によって形成することができる。
【００４０】
おもり部材１８６は、クラブヘッド１０１の内側面１８４ｂの凹凸のある輪郭部分２４２に概ね合致するように構成されている。おもり部材１８６は、クラブヘッド１０１の底部部分１１２に固定されるのが好ましい。図１３（ｂ）に示すように、おもり部材１８６は、内側面１８４ｂに近接した第１の面１９８ａと、内側面１８４ｂから離れた第２の面１９８ｂとを含む。本発明の代替の態様では、おもり部材１８６は、クラブヘッド１０１の打撃面１０６および／または上面１１４に固定することができる。
【００４１】
おもり部材１８６を凹凸のある輪郭部分２４２に合致するように構成することで、クラブヘッド１０１の重心をより有利に配置することができる。具体的には、クラブヘッド１０１の重心は、高さをより低くし、より後方に置くことができる。さらに、自由裁量的質量をクラブヘッド１０１の外側拡張部の方に移すと、クラブヘッド１０１の慣性モーメントを大きくすることができる。
【００４２】
おもり部材１８６を内側面１８４ｂの凹凸のある輪郭部分に合致するように構成することで、製造コストが削減され、組立精度が改善される。おもり部材１８６の第１の面１９８ａが、ゴルフクラブヘッド１０１の内側面１８４ｂに概ね合致する場合、組み立て工は、おもり部材１８６をより迅速に配置することができる。さらに、おもり部材１８６を内側面１８４ｂの凹凸のある輪郭部分２４２に合致するように構成することで、組立時におもり部材１８６を誤配置し、その結果として、ゴルフクラブヘッドが仕様に従って製造されない可能性が低くなる。さらに、おもり部材１８６は、凹凸のある輪郭部分の剛性を高めて、クラブヘッド１０１の振動特性を改善することができる。組み立てた状態で、クラブヘッド１０１は、約２８００Ｈｚ〜約４８００Ｈｚの範囲内の一次固有振動数を有するのが好ましい。クラブヘッド１０１は、約３０００Ｈｚ〜約４６００Ｈｚの範囲内の一次固有振動数を有するのがより好ましい。クラブヘッド１０１は、約３２００Ｈｚ〜約４４００Ｈｚの範囲内の一次固有振動数を有するのが最も好ましい。
【００４３】
おもり部材１８６は、クラブヘッド１０１の総質量の約４％〜約１２％の範囲内の質量を有するのが好ましい。おもり部材１８６の質量は、クラブヘッド１０１の総質量の約６％〜約１０％の範囲内であるのがより好ましい。具体的には、おもり部材１８６は、約８ｇ以上の質量を有するのが好ましい。おもり部材１８６は、約１２ｇ以上の質量を有するのがより好ましい。おもり部材１８６は、約１５ｇ以上の質量を有するのが最も好ましい。おもり部材１８６の体積は、約２．７５ｃｃ以上であるのが好ましい。おもり部材１８６の体積は、約３．２５ｃｃ以上であるのがより好ましい。おもり部材１８６の体積は、約３．７５ｃｃ以上であるのが最も好ましい。
【００４４】
クラブヘッド１０１が基準位置にある場合、おもり部材１８６は、投影面積、すなわち、おもり部材１８６の周縁によって範囲を限定される領域の大地面１４２への投影面積が少なくとも約２ｃｍ２であるのが好ましい（図１３（ａ）を参照のこと）。投影面積は少なくとも約３ｃｍ２であるのがより好ましい。投影面積は少なくとも約５ｃｍ２であるのが最も好ましい。
【００４５】
おもり部材１８６は、チタンもしくはチタン合金、ステンレス鋼、アルミニウム、タングステン、銅、ポリマー、またはそれらの任意の組み合わせを含むことができる。おもり部材１８６は、少なくとも約３ｇ／ｃｍ３の密度を有するのが好ましい。おもり部材１８６の密度は、少なくとも約５ｇ／ｃｍ３であるのがより好ましい。おもり部材１８６の密度は、少なくとも約７ｇ／ｃｍ３であるのが最も好ましい。
【００４６】
本発明の１つまたは複数の態様では、おもり部材１８６は鋳造物である。ただし、本発明の他の態様では、おもり部材１８６は、鍛造するか、スタンピングするか、または当技術分野で公知の適切な手段で形成することができる。本発明の一部の態様では、鍛造、曲げ加工、またはプレス加工を容易にするために、少なくともクラブヘッド１０１の底部部分は、約１０％以上の伸び率を有する材料を含む。底部部分は、約１０％〜約２０％の範囲内の伸び率を有する材料を含むのがより好ましい。底部部分は、約１０％〜約１６％の範囲内の伸び率を有する材料を含むのが最も好ましい。
【００４７】
本発明の一つまたは複数の態様による、特に、図１３（ａ）を参照すると、第１の仮想鉛直面Ａ−Ａ’はフェースセンタ１１８を通り、おもり部材１８６を貫通している。第２の仮想鉛直面Ｂ−Ｂ’は、鉛直面Ａ−Ａ’に対してほぼ横方向であり、おもり部材１８６を貫通している。
【００４８】
図１３（ｂ）および図１３（ｃ）を参照すると、ゴルフクラブヘッド１０１が、鉛直面Ａ−Ａ’を横断する断面図で示されている。おもり部材１８６は、この断面図に特有の第１の横方向端点２００ａおよび第２の横方向端点２００ｂを含む。おもり部材１８６は、ゴルフクラブヘッド１０１の内側面１８４ｂに近接した第１の面１９８ａと、ゴルフクラブヘッド１０１の内側面１８４ｂから離れた第２の面１９８ｂとを含む。断面図で示すように、おもり部材１８６は、ゴルフクラブヘッド１０１の内側面１８４ｂの凹凸のある輪郭部分２４２に概ね合致するように輪郭を合わされる。具体的には、おもり部材１８６の第１の面１９８ａおよび第２の面１９８ｂはともに、クラブヘッド１０１の内側面１８４ｂに概ね合致するように輪郭を合わされる。クラブヘッド１０１の外側面１８４ａもまた、クラブヘッド１０１の内側面１８４ｂの凹凸のある輪郭部分２４２に概ね合致するように輪郭を合わされる。本発明の代替の態様では、外側面１８４ａの輪郭は、内側面１８４ｂの輪郭にあまり合致しない。
【００４９】
図１３（ｄ）を参照すると、図１３（ｂ）に示す断面図の一部がさらに詳細に示されている。第１の点２０８および第２の点２１０が内側面１８４ｂに配置されている。仮想線２０６は、第１の点２０８および第２の点２１０を通っている。第１の仮想境界線２０２は、仮想線２０６に垂直な方向で第１の点２０８を通っている。第２の仮想境界線２０４は、仮想線２０６に垂直な方向で第２の点２１０を通っている。第１の仮想境界線および第２の仮想境界線はそれぞれ、おもり部材１８６を貫通している。
【００５０】
図１３（ｄ）をもう一度参照すると、本発明の１つまたは複数の態様では、内側面１８４ｂは、第１の点２０８と第２の点２１０との間で基準長さＬｎｏｍを有する。内側面の基準長さＬｎｏｍは、第１の点２０８と第２の点２１０との間の最短距離に一致する。内側面１８４ｂはまた、第１の点と第２の点との間で表面長さＬｓｕｒｆを有する。内側面の表面長さＬｓｕｒｆは、第１の点２０８と第２の点２１０との間の内側面１８４ｂの実長に一致する。
【００５１】
図１３（ｅ）を参照すると、おもり部材１８６の第２の面１９８ｂは、第１の点２０８と第２の点２１０との間で、内側面１８４ｂから平均距離ｄａｖｇだけ離間している。本明細書において、「平均距離」ｄａｖｇという用語は、仮想線２０６を含む鉛直面内で点２０８、２１０を内包する仮想線２０６に対してそれぞれ垂直方向に測定した、おもり部材１８６の第２の面１９８ｂとクラブヘッド１０１の本体の内側面１８４ｂとの間の複数の距離ｄ０…ｄｎの平均値を意味し、距離ｄ０は、点２０８を通る仮想線２０２に沿って測定され、距離ｄ１，…，ｄｎは、線２０２に対して平行に向けられ、１ｍｍ刻みで互いに離間した複数の線ｌ１…ｌｎに沿って測定される。線ｌ１は、線２０２から距離１ｍｍだけ離間し、線ｌ１…ｌｎには、点２０８、２１０間で線２０２に対して平行な線以外の他の線は含まれないので、線ｌ１…ｌｎは点２０８を通らないが、線ｌｎは、点２１０を通る可能性がある。
【００５２】
測定した距離の標準偏差σｄは、求めた複数の距離ｄ０，…，ｄｎ、および平均距離ｄａｖｇから以下の通り定義される。
【００５３】
【数１】
0005793363.tif 000002
【００５４】
上記に求めたパラメータに基づき、Ａ−Ａ’断面の点２０８と点２１０との間で、それぞれがクラブヘッド１０１の特性に対応する様々な要素を計算することができる。
【００５５】
第１に、複数の距離ｄ０，…，ｄｎの平均距離ｄａｖｇおよび標準偏差σｄを基にして、おもり部材１８６の一致度Ｆｃｏｎｆを求めることができる。一致度Ｆｃｏｎｆは、点２０８と点２１０との間で、おもり部材が結合される内側面１８４ｂの輪郭におもり部材１８６の輪郭が一致する程度に対応する。一致度Ｆｃｏｎｆは以下の通り定義される。
Ｆｃｏｎｆ＝σｄ／ｄａｖｇ
【００５６】
第２に、内側面１８４ｂの測定した基準長さＬｎｏｍと、内側面１８４ｂの測定した表面長さＬｓｕｒｆとを基にして、内側面１８４ｂの凹凸度Ｆｉｒｒを第１の点２０８と第２の点２１０との間で求めることができる。内側面１８４ｂの凹凸度Ｆｉｒｒは、第１の点２０８と第２の点２１０との間で、内側面１８４ｂの湾曲が急激に変化する程度に対応する。凹凸度Ｆｉｒｒは以下の通り定義される。
Ｆｉｒｒ＝（Ｌｓｕｒｆ，ｉｎｔ／Ｌｎｏｍ，ｉｎｔ）２
【００５７】
第３に、おもり部材１８６の平均距離ｄａｖｇおよび内側面１８４ｂの表面長さＬｓｕｒｆを基にして、おもり部材１８６の分離度Ｆｄｉｓｔを第１の点２０８と第２の点２１０との間で求めることができる。おもり部材１８６の分離度Ｆｄｉｓｔは、仮想鉛直断面Ａ−Ａ’の第１の点２０８と第２の点２１０との間で、おもり部材１８６の領域が内側面１８４ｂに比較的近接して配置された程度に対応する。分離度Ｆｄｉｓｔは以下の通り定義される。
Ｆｄｉｓｔ＝ｄａｖｇ／Ｌｓｕｒｆ，ｉｎｔ
【００５８】
第１の点２０８と第２の点２１０との間で、１８４ｂの凹凸度は１．２以上であり、おもり部材１８６の一致度は０．０７以下であり、おもり部材１８６の分離度は１．０以下であるのが好ましい。第１の点２０８と第２の点２１０との間で、内側面１８４ｂの凹凸度は１．２以上であり、おもり部材１８６の一致度は０．０５以下であり、おもり部材１８６の分離度は０．１〜１．０であるのがより好ましい。第１の点２０８と第２の点２１０との間で、内側面１８４ｂの凹凸度は１．２以上であり、おもり部材１８６の一致度は約０．０４以下であり、おもり部材１８６の分離度は０．２５〜１．０であるのが最も好ましい。
【００５９】
図１３（ｆ）を参照すると、本発明の１つまたは複数の態様では、第１の点２０８と第２の点２１０との間で、おもり部材１８６の第２の面１９８ｂ、クラブヘッド１０１の内側面１８４ｂ、およびクラブヘッド１０１の外側面１８４ａはすべて互いに合致している。上記に説明したパラメータに加えて、外側面１８４ａの基準長さＬｎｏｍおよび外側面１８４ａの実長Ｌｓｕｒｆ，ｅｘｔを第１の点２０８と第２の点２１０との間で求めることができる。
【００６０】
図１３（ｇ）を参照すると、本発明の１つまたは複数の態様では、第１の点２０８と第２の点２１０との間で、本体は平均厚さｔａｖｇを有する。本明細書において、「平均厚さ」ｔａｖｇという用語は、仮想線２０６を含む鉛直面内で、点２０８、２１０を内包する仮想線２０６に対してそれぞれ垂直方向に測定した、本体の内側面１８４ｂとクラブヘッド１０１の本体の外側面１８４ａとの間の複数の厚さｔ０，…，ｔｎの平均値を意味し、厚さｔ０は、点２０８を通る仮想線２０２に沿って測定され、厚さｔ１，…，ｔｎは、線２０２に対して平行に向けられ、１ｍｍ刻みで互いに離間した複数の線ｌ１，…，ｌｎに沿って測定される。線ｌ１は、線２０２から距離１ｍｍだけ離間し、線ｌ１，…，ｌｎには、点２０８、２１０間で線２０２に対して平行な線以外の他の線は含まれないので、線ｌ１，…，ｌｎは点２０８を通らないが、線ｌｎは、点２１０を通る可能性がある。
【００６１】
測定した厚さの標準偏差σｔは、複数の厚さｔ０，…，ｔｎ、および計算した平均厚さｔａｖｇから以下の通り定義される。
【００６２】
【数２】
0005793363.tif 000003
【００６３】
測定した厚さ群の平均厚さｔａｖｇおよび標準偏差σｔを基にして、第１の点２０８と第２の点２１０との間で、外側面１８４ａの一致度Ｆｃｏｎｆ，ｅｘｔを求めることができる。一致度Ｆｃｏｎｆ，ｅｘｔは、第１の点２０８と第２の点２１０との間で、外側面１８４ａの輪郭が内側面１８４ｂの輪郭に合致する程度に対応する。Ｆｃｏｎｆ，ｅｘｔは以下の通り定義される。
Ｆｃｏｎｆ，ｅｘｔ＝σｔ／ｔａｖｇ
【００６４】
第１の点２０８と第２の点２１０との間で、Ｆｃｏｎｆ，ｅｘｔは０．０７以下であるのが好ましい。第１の点２０８と第２の点２１０との間で、Ｆｃｏｎｆ，ｅｘｔは０．０５以下であるのがより好ましい。第１の点２０８と第２の点２１０との間で、Ｆｃｏｎｆ，ｅｘｔは０．０４以下であるのが最も好ましい。
【００６５】
図１３（ｈ）を参照すると、本発明の１つまたは複数の態様では、おもり部材１８６は、第１の横方向端点２００ａから第２の横方向端点２００ｂまで、おもり部材１８６の全長にわたって、凹凸のある輪郭部分２４２に実質的に合致する。これは、第１の横方向端点２００ａおよび第２の横方向端点２００ｂとそれぞれ一致する第１の点２０８および第２の点２１０を設けることで定量化され得る。この特定の実例では、仮想線２０６は第１の横方向端点２００ａおよび第２の横方向端点２００ｂを通っている。第１の仮想境界線２０２は、仮想線２０６に垂直な方向で第１の横方向端点２００ａを通っている。第２の仮想境界線２０４は、仮想線２０６に垂直な方向で第２の横方向端点２００ｂを通っている。
【００６６】
第１の横方向端点２００ａと第２の横方向端点２００ｂとの間で、基準長さＬｎｏｍおよび表面長さＬｓｕｒｆを求めることができる。点２００ａと点２００ｂとの間で、おもり部材１８６の第２の面１９８ｂが内側面１８４ｂから離間した平均距離ｄａｖｇおよび対応する標準偏差σｄは、図１３（ｇ）に示す選択した点に関して上記に説明した態様で求めることができる。
【００６７】
上記のパラメータを基にして、内側面１８４ｂのＦｉｒｒは１．２以上であり、おもり部材１８６のＦｃｏｎｆは０．０７以下であり、おもり部材１８６のＦｄｉｓｔは１．０以下であるのが好ましい。内側面１８４ｂのＦｉｒｒは１．２以上であり、おもり部材１８６のＦｃｏｎｆは０．０５以下であるのがより好ましい。内側面１８４ｂのＦｉｒｒは１．２以上であり、おもり部材１８６のＦｃｏｎｆは約０．０４以下であるのが最も好ましい。
【００６８】
図１３（ｉ）を参照すると、本発明の１つまたは複数の態様では、ゴルフクラブヘッド１０１がＢ−Ｂ’断面（図１３（ａ）を参照のこと）で示されている。この断面図では、おもり部材１８６が内側面１８４ｂに結合されている。おもり部材１８６は、Ｂ−Ｂ’断面にそれぞれ特有の第１の横方向端点２００ａおよび第２の横方向端点２００ｂを含む。内側面１８４ｂは、３つの異なる凹凸輪郭部分２４３ａ、２４３ｂ、２４３ｃを含む。おもり部材１８６は、凹凸のある輪郭部分２４３ａ、２４３ｂ、２４３ｃに近接して、内側面１８４ｂの輪郭と概ね合致している。さらに、本発明の一部の態様では、示すように、外側面１８４ａは、内側面１８４ｂの輪郭に概ね合致している。あるいは、本発明の一部の態様では、外側面１８４ａの輪郭は、内側面１８４ｂの輪郭とは異なる。
【００６９】
図１４（ａ）〜１４（ｇ）を参照すると、本発明の１つまたは複数の態様では、基準位置に向きを合わせたゴルフクラブヘッド１０１は、フェースセンタ１１８を有する打撃面１０６、およびおもり部材１８６を含む。ゴルフクラブヘッド１０１は、外側面１８４ａおよび内側面１８４ｂを含む（図１４（ｂ）を参照のこと）。おもり部材１８６は、クラブヘッド１０１の内側面１８４ｂに固定されている。図１４（ａ）に示すように、仮想の鉛直面Ａ−Ａ’はフェースセンタ１１８およびおもり部材１８６の一部を貫通している。
【００７０】
図１４（ｂ）を参照すると、ゴルフクラブヘッド１０１が、Ａ−Ａ’面を横断する断面図で示されている。おもり部材１８６は、第１の横方向端点２００ａおよび第２の横方向端点２００ｂを含む。
【００７１】
図１４（ｃ）を参照して、仮想鉛直面Ａ−Ａ’の一部がさらに詳細に検討される。第１の点１９４および第２の点１９６は、クラブヘッド１０１の本体の内側面１８４ｂに配置されている。仮想線１９２は、第１の点１９４および第２の点１９６を通っている。仮想鉛直面Ａ−Ａ’にある第１の仮想境界線２０２は、仮想線１９２に垂直な方向で第１の点１９４を通っている。仮想鉛直面Ａ−Ａ’にある第２の仮想境界線２０４は、仮想線１９２に垂直な方向で第２の点１９６を通っている。第１の仮想境界線２０２および第２の仮想境界線２０４はそれぞれ、おもり部材１８６を貫通している。
【００７２】
図１４（ｄ）を参照すると、本発明の１つまたは複数の態様では、内側面１８４ｂは、第１の点１９４と第２の点１９６との間の基準長さＬｎｏｍを有する。内側面１８４ｂの基準長さＬｎｏｍは、第１の点１９４と第２の点１９６との間の最短距離に一致する。内側面１８４ｂはまた、第１の点１９４と第２の点１９６との間で表面長さＬｓｕｒｆを有する。内側面１８４ｂの表面長さＬｓｕｒｆは、第１の点１９４と第２の点１９６との間の内側面１８４ｂの実長に一致する。ギャップ１９７は、おもり部材１８６の第１の面１９８ａと本体の内側面１８４ｂとの間に配置されている。
【００７３】
図１４（ｅ）を参照すると、おもり部材１８６は、第１の点１９４と第２の点１９６との間で、内側面１８４ｂから平均距離ｄａｖｇだけ離間している。本明細書において、「平均距離」ｄａｖｇという用語は、仮想線１９２を含む鉛直面内で、点１９４、１９６を内包する仮想線１９２に対してそれぞれ垂直方向に測定した、おもり部材１８６の第２の面１９８ｂとクラブヘッド１０１の本体の内側面１８４ｂとの間の複数の距離ｄ０，…，ｄｎの平均値を意味し、距離ｄ０は、点１９４を通る仮想線２０２に沿って測定され、距離ｄ１，…，ｄｎは、線２０２に対して平行に向けられ、１ｍｍ刻みで互いに離間した複数の線ｌ１，…，ｌｎに沿って測定される。線ｌ１は、線２０２から距離１ｍｍだけ離間し、線ｌ１，…，ｌｎには、点１９４、１９６間で線２０２に対して平行な線以外の他の線は含まれないので、線ｌ１，…，ｌｎは点１９４を通らないが、線ｌｎは、点１９６を通る可能性がある。
【００７４】
複数の距離の標準偏差σｄは、求めた複数の距離ｄ０，…，ｄｎから以下の通り定義される。
【００７５】
【数３】
0005793363.tif 000004
【００７６】
上記の測定したパラメータを基にして、図１３（ａ）に示した本発明の態様に関して上記に説明した態様で、第１の点１９４と第２の点１９６との間での、内側面１８４ａの凹凸度Ｆｉｒｒ、おもり部材１８６の一致度Ｆｃｏｎｆ、およびおもり部材１８６の分離度Ｆｄｉｓｔを求めることができる。
【００７７】
クラブヘッド１０１の内側面１８４ｂおよびおもり部材１８６は、第１の点１９４と第２の点１９６との間で、内側面１８４ｂのＦｉｒｒが１．２以上であり、おもり部材１８６のＦｃｏｎｆが０．０７以下であり、おもり部材１８６のＦｄｉｓｔが１．０以下であるように構成されるのが好ましい。第１の点１９４と第２の点１９６との間で、内側面１８４ｂのＦｉｒｒが１．２以上であり、おもり部材１８６のＦｃｏｎｆが０．０５以下であり、おもり部材１８６のＦｄｉｓｔが０．１〜１．０であるのがより好ましい。第１の点１９４と第２の点１９６との間で、内側面１８４ｂのＦｉｒｒが１．２以上であり、おもり部材１８６のＦｃｏｎｆが０．０４以下であり、おもり部材１８６のＦｄｉｓｔが０．２５〜１．０であるのが最も好ましい。
【００７８】
図１４（ｆ）を参照すると、図１４（ｃ）の鉛直断面図の一部がさらに詳細に示されている。境界線２０２は、点２４４でおもり部材１８６の第２の面１９８ｂを通っている。境界線２０４は、点２４６でおもり部材１８６の第２の面１９８ｂを通っている。点２４４と点２４６との間の最短距離は第２の面１９８ｂの基準長さＬｎｏｍ，２に一致する。点２４４と点２４６との間での第２の面１９８ｂの実長は、第２の面１９８ｂの表面長さＬｓｕｒ，２に一致する。
【００７９】
上記のパラメータに加えて、おもり部材１８６の第２の面１９８ｂの凹凸度Ｆｉｒｒ，２は、第１の点１９４と第２の点１９６との間で、おもり部材１８６の第２の面１９８ｂの輪郭が急激に変化する程度に対応する。第１の点１９４と第２の点１９６との間での第２の面１９８ｂの凹凸度Ｆｉｒｒ，２は以下の通り定義される。
Ｆｉｒｒ，２＝（Ｌｓｕｒｆ，２／  Ｌｎｏｍ，２）２
【００８０】
クラブヘッド１０１は、第１の点１９４と第２の点１９６との間で、おもり部材１８６の第２の面１９８ｂが１．２０以上の凹凸度Ｆｉｒｒ，２を有し、クラブヘッド１０１の本体の内側面１８４ｂが１．２０以上の凹凸度Ｆｉｒｒ，ｉｎｔを有するように構成されるのが好ましい。おもり部材１８６の第２の面１９８ｂが１．２５以上の凹凸度Ｆｉｒｒ，２を有し、クラブヘッド１０１の本体の内側面１８４ｂが１．２５以上の凹凸度Ｆｉｒｒ，ｉｎｔを有するのがより好ましい。
【００８１】
さらに、第１の点１９４と第２の点１９６との間で、おもり部材１８６の第２の面１９８ｂの凹凸度Ｆｉｒｒ，２の、クラブヘッド１０１の本体の内側面１８４ｂの凹凸度Ｆｉｒｒ，ｉｎｔに対する比率が０．７０〜１．３０の範囲内にあるのが好ましい。おもり部材１８６の第２の面１９８ｂの凹凸度Ｆｉｒｒ，２の、クラブヘッド１０１の本体の内側面１８４ｂの凹凸度Ｆｉｒｒ，ｉｎｔに対する比率が約０．８５〜約１．１５の範囲内にあるのがより好ましい。おもり部材１８６の第２の面１９８ｂの凹凸度Ｆｉｒｒ，２の、クラブヘッド１０１の本体の内側面１８４ｂの凹凸度Ｆｉｒｒ，ｉｎｔに対する比率が約０．９５〜約１．０５の範囲内にあるのが最も好ましい。
【００８２】
図１４（ｆ）を再度参照すると、本発明の１つまたは複数の態様では、クラブヘッド１０１の本体の外側面１８４ａもまた、第１の点１９４と第２の点１９６との間で、クラブヘッド１０１の本体の内側面１８４ｂに概ね合致し、おもり部材１８６の第２の面１９８ｂに概ね合致する。境界線２０２は、点２４８で外側面１８４ａを通っている。境界線２
０４は、点２５０で外側面１８４ａを通っている。点２４８と点２５０との間の最短距離は、外側面１８４ａの基準長さＬｎｏｍ，ｅｘｔに一致する。点２４８と点２５０との間の外側面１８４ａの実表面長さは、クラブヘッド１０１の本体の外側面１８４ａの表面長さＬｓｕｒｆ，ｅｘｔに一致する。Ｌｎｏｍ，ｅｘｔおよびＬｓｕｒｆ，ｅｘｔを基にして、点２４８と点２５０との間での、クラブヘッド１０１の本体の外側面１８４ａの凹凸度Ｆｉｒｒ，ｅｘｔは以下の通り定義される。
Ｆｉｒｒ，ｅｘｔ＝（Ｌｓｕｒｆ，ｅｘｔ／  Ｌｎｏｍ，ｅｘｔ）２
【００８３】
クラブヘッド１０１は、点２４８と点２５０との間で、おもり部材１８６の第２の面１９８ｂが１．２０以上の凹凸度Ｆｉｒｒ，２を有し、クラブヘッド１０１の本体の内側面１８４ｂが１．２０以上の凹凸度Ｆｉｒｒ，ｉｎｔを有し、クラブヘッド１０１の本体の外側面１８４ａが１．２０以上の凹凸度Ｆｉｒｒ，ｅｘｔを有するように構成されるのが好ましい。おもり部材１８６の第２の面１９８ｂが１．２５以上の凹凸度Ｆｉｒｒ，２を有し、クラブヘッド１０１の本体の内側面１８４ｂが１．２５以上の凹凸度Ｆｉｒｒ，ｉｎｔを有し、クラブヘッド１０１の本体の外側面１８４ａが１．２５以上の凹凸度Ｆｉｒｒ，ｅｘｔを有するのがより好ましい。
【００８４】
さらに、点２４８と点２５０との間で、Ｆｉｒｒ，２のＦｉｒｒ，ｉｎｔに対する比率が０．７０〜１．３０の範囲内であるのが好ましく、Ｆｉｒｒ，２のＦｉｒｒ，ｅｘｔに対する比率が０．７０〜１．３０の範囲内であるのが好ましい。Ｆｉｒｒ，２のＦｉｒｒ，ｉｎｔに対する比率が約０．８５〜約１．１５の範囲内であり、Ｆｉｒｒ，２のＦｉｒｒ，ｅｘｔに対する比率が０．８５〜１．１５の範囲内であるのがより好ましい。Ｆｉｒｒ，２のＦｉｒｒ，ｉｎｔに対する比率が約０．９５〜約１．０５の範囲内であり、Ｆｉｒｒ，２のＦｉｒｒ，ｅｘｔに対する比率が０．９５〜１．０５の範囲内であるのが最も好ましい。
【００８５】
図１４（ｇ）を参照すると、ギャップ１９７は、おもり部材１８６の第１の面１９８ａとクラブヘッド１０１の本体の内側面１８４ｂとの間に配置されている。ギャップ１９７は、クラブヘッド１０１の本体の内側面１８４ｂとおもり部材１８６の第１の面１９８ａとの間に平均ギャップ距離ｇａｖｇで延びている。本明細書において、「平均ギャップ距離」ｇａｖｇという用語は、仮想線１９２を含む鉛直面内で、点１９４、１９６を内包する仮想線１９２に対してそれぞれ垂直方向に測定した、おもり部材１８６の第１の面１９８ａとクラブヘッド１０１の本体の内側面１８４ｂとの間の複数のギャップ距離ｇ０，…，ｇｎの平均値を意味し、ギャップ距離ｇ０は、点１９４を通る仮想線１８８に沿って測定され、ギャップ距離ｇ１，…，ｇｎは、線１８８に対して平行に向けられ、１ｍｍ刻みで互いに離間した複数の線ｌ１，…，ｌｎに沿って測定される。線ｌ１は、線１８８から距離１ｍｍだけ離間し、線ｌ１，…，ｌｎには、点１９４、１９６間で線１８８に平行な線以外の他の線は含まれないので、線ｌ１，…，ｌｎは点１９４を通らないが、線ｌｎは、点１９６を通る可能性がある。
【００８６】
点１９４と点１９６との間で、おもり部材１８６の第１の面１９８ａと内側面１８４ｂとの間の平均ギャップ距離ｇａｖｇは３ｍｍ以下であるのが好ましい。点１９４と点１９６との間で、おもり部材１８６の第１の面１９８ａと内側面１８４ｂとの間の平均ギャップ距離ｇａｖｇは２ｍｍ以下であるのがより好ましい。点１９４と点１９６との間で、おもり部材１８６の第１の面１９８ａと内側面１８４ｂとの間の平均ギャップ距離ｇａｖｇは１ｍｍ以下であるのが最も好ましい。
【００８７】
図１５を参照すると、本発明の１つまたは複数の態様のゴルフクラブヘッド１０１が、上面図に基準位置で示されている。ゴルフクラブヘッド１０１は、ゴルフクラブヘッド１０１の内側面に固定されたおもり部材１８６を含む。おもり部材１８６は、ゴルフクラブヘッド１０１の後部の方に配置され、クラブヘッド１０１の凹凸のある輪郭部分に概ね合致している。おもり部材１８６の質量の大部分は、示すように、第３「象限」および第４「象限」内に配置されている。本発明の１つまたは複数の態様では、おもり部材１８６の質量の約７５％以上が、第３「象限」および第４「象限」内に配置される。本発明の一部の態様では、おもり部材１８６の質量の約９０％以上が、第３「象限」および第４「象限」内に配置される。
【００８８】
図１６を参照すると、本発明の１つまたは複数の態様のゴルフクラブヘッド１０１が基準位置で示されている。ゴルフクラブヘッド１０１は、ヒール部分１１０、トウ部分１０８、およびゴルフクラブヘッド１０１の内側面の凹凸のある輪郭部分に固定されたおもり部材１８６を含む。おもり部材１８６は、図１２（ｂ）に示す本発明の態様に含まれるおもり部材１８６と同様に、クラブヘッド１０１の内側面の凹凸のある輪郭部分の輪郭に実質的に合致している。おもり部材１８６は、ゴルフクラブヘッド１０１のヒール部分１１０の方に配置されている。おもり部材１８６をヒール部分１１０の方に配置することで、所望のドローバイアスが得られる。おもり部材１８６の質量の大部分は、第１「象限」および第４「象限」内に配置されるのが好ましい。おもり挿入体１８６の質量の約７５％以上が、第１「象限」および第４「象限」内に配置されるのがより好ましい。おもり部材１８６の質量の約９０％以上が、第１「象限」および第４「象限」内に配置されるのが最も好ましい。
【００８９】
本発明の代替の態様では、フェードバイアスが望ましいことがある。この場合、おもり部材１８６の質量の大部分が第２「象限」および第３「象限」に配置されるのが好ましい。おもり部材１８６の質量の約７５％以上が第２「象限」および第３「象限」に配置されるのがより好ましい。おもり部材１８６の質量の約９０％以上が、第２「象限」および第３「象限」に配置されるのが最も好ましい。
【００９０】
図１７を参照すると、本発明の１つまたは複数の態様のゴルフクラブヘッド１０１が、上面図に基準位置で示されている。ゴルフクラブヘッド１０１は、打撃面１０６、ホーゼル面１０４を有するホーゼル部分１００、おもり部材１８６、および周縁１３９を含む。おもり部材１８６は、図１２（ｂ）に示す本発明の態様に含まれるおもり部材１８６と同様に、クラブヘッド１０１の内側面の凹凸のある輪郭部分の輪郭に実質的に合致している。おもり部材１８６は、ゴルフクラブヘッド１０１の周縁１３９の方に配置されて、クラブヘッド１０１の慣性モーメントを大きくしている。具体的には、おもり部材１８６の大部分は、周縁１３９と、周縁１３９から内側にずれた仮想の内側境界１３６とが囲む３次元空間２１２に配置されている。クラブヘッド１０１は、約３８００ｇ・ｃｍ２以上の主慣性モーメントＩｚｚ、および約２０００ｇ・ｃｍ２以上の二次的な慣性モーメントＩｙｙを有するのが好ましい。主慣性モーメントは、約４５００ｇ・ｃｍ２以上であり、二次的な慣性モーメントは、約２５００ｇ・ｃｍ２以上であるのがより好ましい。クラブヘッド１０１の主慣性モーメントは、約４８００ｇ・ｃｍ２以上であり、クラブヘッド１０１の二次的な慣性モーメントは、約２９００ｇ・ｃｍ２以上であるのが最も好ましい。
【００９１】
仮想の内側境界１３６は、クラブヘッド１０１の全長Ｌｏの０．３倍の距離だけ内側にずれているのが好ましい。仮想の内側境界１３６は、クラブヘッド１０１の全長Ｌｏの０．２５倍の距離だけ内側にずれているのがより好ましい。仮想の内側境界１３６は、クラブヘッド１０１の全長Ｌｏの０．２倍の距離だけ内側にずれているのが最も好ましい。
【００９２】
図１８（ａ）〜１８（ｂ）を参照すると、本発明の１つまたは複数の態様では、ゴルフクラブヘッド１０１は、上部部分１１４、底部部分１１２、打撃面１０６、内側面１８４ｂ、外側面１８４ａ、およびクラブヘッド１０１の内側面１８４ｂに固定されたおもり部材１８６を含む。クラブヘッド１０１の底部部分１１２は、凹凸のある輪郭部分２４２を含む。おもり部材１８６は、図１２（ｂ）に示す本発明の態様に含まれるおもり部材１８６と同様に、クラブヘッド１０１の内側面の凹凸のある輪郭部分の輪郭に実質的に合致している。
【００９３】
図１８（ａ）に示すように、おもり部材１８６の質量の大部分は、「象限」３および「象限」４内にある。さらに、おもり部材１８６の質量の大部分は、周縁１３９および仮想の内側境界１３６が囲む３次元空間２１２内に配置されている。仮想の内側境界１３６は、クラブヘッド１０１の全長Ｌｏの０．３０倍だけ周縁１３９から内側にずれている。
【００９４】
特に、図１８（ｂ）を参照すると、おもり部材１８６は、第１の仮想水平面２１４と第２の仮想水平面２１６との間に配置されている。おもり部材１８６の質量は約８ｇ以上であり、おもり部材の体積は約３ｃｍ３以上であり、第１の水平面２１４は、Ｈｏの０．０３倍の距離だけ大地面１４２から離間しており、第２の仮想水平面２１６は、Ｈｏの０．２５倍の距離だけ大地面１４２から離間しており、おもり部材１８６の質量の大部分は、第１の水平面２１４と第２の水平面２１６との間に配置されているのが好ましい。おもり部材１８６の質量は約１０ｇ以上であり、おもり部材の体積は約３．５ｃｍ３以上であり、第１の水平面２１４は、Ｈｏの０．０４倍の距離だけ大地面１４２から離間しており、第２の仮想水平面２１６は、Ｈｏの０．２２倍の距離だけ大地面１４２から離間しており、おもり部材１８６の７５％を超える質量が、第１の水平面２１４と第２の水平面２１６との間に配置されているのがより好ましい。おもり部材１８６の質量は約１２ｇ以上であり、おもり部材の体積は約３．７５ｃｍ３以上であり、第１の水平面２１４は、Ｈｏの０．０５倍の距離だけ大地面１４２から離間しており、第２の仮想水平面２１６は、Ｈｏの０．１９倍の距離だけ大地面１４２から離間しており、おもり部材１８６の９０％を超える質量が、第１の水平面２１４と第２の水平面２１６との間に配置されているのが最も好ましい。
【００９５】
図１９（ａ）を参照すると、本発明の１つまたは複数の態様の、基準位置に向きを合わせたゴルフクラブヘッド１０１が上面図で示されている。ゴルフクラブヘッド１０１は、フェースセンタ１１８を有する打撃面１０６、ホーゼル部分１００、周縁１３９、およびクラブヘッド１０１の内側面１８４ｂに固定されたおもり部材１８６を含む。内側面１８４ｂは、凹凸のある輪郭部分を含む。おもり部材１８６は、図１２（ｂ）に示す本発明の態様に含まれるおもり部材１８６と同様に、クラブヘッド１０１の内側面の凹凸のある輪郭部分の輪郭に実質的に合致している。
【００９６】
おもり部材１８６は、ゴルフクラブヘッド１０１の周縁１３９の方に配置されている。具体的には、おもり部材１８６の質量の大部分は、周縁１３９と、クラブヘッド１０１の全長Ｌｏの０．３倍以下の距離だけ周縁１３９から内側にずれた仮想の内側境界１３６とが囲む３次元空間２１２内に配置されている。
【００９７】
おもり部材１８６の質量の大部分は、フェースセンタ１１８を通る第１の仮想鉛直面２１８と、フェースセンタ１１８を通る第２の仮想鉛直面２２０との間に配置されている。角度βは、第１の仮想鉛直線２１８と第２の仮想鉛直線２２０との間に形成されている。角度βは、約２０°以上であるのが好ましい。角度βは、約３０°以上であるのがより好ましい。角度βは、約４０°以上であるのが最も好ましい。
【００９８】
本発明の一部の態様では、例えば、図１９（ｂ）に示すように、おもり部材１８６は、ドローバイアスにするために、ヒール部分１１０の方のゴルフクラブヘッド１０１の内側面１８４ｂに固定することができる。あるいは、本発明の１つまたは複数の態様では、おもり部材１８６は、フェードバイアスにするために、トウ部分１０８の方のゴルフクラブヘッド１０１の内側面１８４ｂに固定することができる。
【００９９】
上記に説明した本発明の態様のいずれにおいても、おもり部材１８６は、溶接、ろう付け、はんだ付け、化学接着、または機械的留め具によって、内側面１８４ｂに固定することができる。例えば、おもり部材１８６は、ねじ手段、クランプ手段、締まり嵌め、または圧入によって内側面１８４ｂに固定することができる。
【０１００】
図２０（ａ）〜２０（ｃ）を参照すると、本発明の１つまたは複数の態様では、ゴルフクラブヘッド１０１は、底部部分１１２、上部部分１１４、ホーゼル１００、打撃面１０６、内側面１８４ｂ、および外側面１８４ａを含む。第１の材料からなるおもり部材１８６は、図１２（ｂ）に示す本発明の態様に含まれるおもり部材１８６と同様に、クラブヘッド１０１の内側面の凹凸のある輪郭部分に固定され、これの輪郭に実質的に合致している。
【０１０１】
特に、図２０（ｂ）に示すように、ゴルフクラブヘッド１０１の一部が組立途中の状態で示されている。おもり部材１８６は、複数の周縁凹部２３０を含む。本発明の代替の態様では、ゴルフクラブヘッド１０１は、ただ１つの周縁凹部を含む。周縁凹部２３０は、おもり部材１８６をその意図した位置に配置するのを容易にする。おもり部材１８６を内側面１８４ｂに溶接する際に、周縁凹部２３０により、溶接工は意図した溶接位置が分かり、正確かつ効率的な組立が保証される。さらに、凹部により、溶接領域の高さを低くすることができ、クラブヘッド１０１の重心がさらに低くなる。さらに、周縁凹部２３０により、より迅速な溶接作業が可能になり、ひいては加えられる熱が少なくなる。その結果、溶接作業によって悪影響を受けるクラブヘッド１０１の領域が最小限になる。
【０１０２】
図２０（ｃ）に示すように、組み立てた状態で、周縁凹部２３０は、充填物２３２を少なくとも部分的に充填されている。本発明の一部の態様では、充填物２３２は、クラブヘッド１０１の本体またはおもり部材１８６の組成と同じ材料を含む。本発明の他の態様では、充填物２３２は、クラブヘッド１０１の本体の組成とは異なる材料を含む。本発明の一部の態様では、第１の材料には、チタン、タングステン、ステンレス鋼、アルミニウム、またはポリマーが含まれる。本発明の一部の態様では、組み立てた状態で、周縁凹部２３０は部分的にのみ充填物を充填される。
【０１０３】
図２１（ａ）〜２１（ｃ）を参照すると、本発明の１つまたは複数の態様では、ゴルフクラブヘッド１０１は、上部部分１１４、底部部分１１２、ホーゼル１００、打撃面１０６、内側面１８４ｂ、外側面１８４ａ、およびおもり部材１８６を含む。おもり部材１８６は、ゴルフクラブヘッド１０１の内側面１８４ｂの凹凸のある輪郭部分に固定されている。おもり部材１８６は、図１２（ｂ）に示す本発明の態様に含まれるおもり部材１８６と同様に、クラブヘッド１０１の内側面１８４ｂの凹凸のある輪郭部分の輪郭に実質的に合致している。
【０１０４】
図２１（ｂ）および図２１（ｃ）に示すように、ゴルフクラブヘッド１０１は、内側面１８４ｂから延びる突起からなる位置決め体２３６をさらに含む。おもり部材１８６は、位置決め突起２３６に合わせた相補的な形状の位置決め体２３４を含む。具体的には、おもり部材１８６の位置決め体２３４は、クラブヘッド１０１の内側面１８４ｂから延びる位置決め体２３６と係合するように構成された凹部からなる。
【０１０５】
組み立てた状態では、図２１（ｂ）に示すように、位置決め体２３６は、位置決め体２３４に少なくとも部分的に嵌入されている。このようにして、おもり部材１８６は、内側面１８４ｂに、より迅速かつより正確に配置することができる。本発明の代替の態様では、ゴルフクラブヘッド１０１の内側面１８４ｂが、凹部を有する位置決め体を含み、おもり部材が、凹部に合わせた相補的な突起を有する位置決め体を含む。本発明の一部の態様では、おもり部材１８６および内側面１８４ｂは、他の相補的な構造、例えば、さねはぎ構造を有する位置決め体を含む。
【０１０６】
図２２を参照すると、本発明の１つまたは複数の態様のゴルフクラブヘッド１０１が基準位置で示されている。ゴルフクラブヘッド１０１は、全幅Ｗｏ、打撃面１０６、凹凸のある輪郭部分を有する内側面１８４ｂ、ホーゼル面１０４を有するホーゼル１００、およびゴルフクラブヘッド１０１の内側面１８４ｂに固定されたおもり部材１８６を含む。おもり部材１８６は、図１２（ｂ）に示す本発明の態様に含まれるおもり部材１８６と同様に、クラブヘッド１０１の内側面１８４ｂの凹凸のある輪郭部分の輪郭に実質的に合致している。
【０１０７】
おもり部材１８６は、一番ヒール側の点２３８および一番トウ側の点２４０をさらに含む。第１の仮想鉛直面２４８は、ホーゼル面１０４に対して直角であり、一番ヒール側の点２３８を通っている。第２の仮想鉛直面２５０は、ホーゼル面１０４に対して直角であり、一番トウ側の点２４０を通っている。第１の仮想鉛直面２４８と第２の仮想鉛直面２５０との間の最短距離は、おもり部材の幅Ｗｗｔに一致する。
【０１０８】
おもり部材１８６は、約８ｇ以上の質量と、約２．７５ｃｍ３以上の体積と、０．３以上のＷｗｔのＷｏに対する比率とを有する。おもり部材１８６は、約１２ｇ以上の質量と、約３．７５ｃｍ３以上の体積と、０．４以上のＷｗｔのＷｏに対する比率とを有するのがより好ましい。おもり部材１８６は、約１５ｇ以上の質量と、約３．７５ｃｍ３以上の体積と、０．５以上のＷｗｔのＷｏに対する比率とを有するのが最も好ましい。
【０１０９】
前述の説明では、本発明が例示的な実施形態に関連して説明された。一方、添付の特許請求の範囲に記載した本発明のより広範な趣旨および範囲から逸脱することなく、様々な修正及び変更が可能であるのは明白である。したがって、説明および図面は、限定ではなく例示を意図されていると考えることができる。
【符号の説明】
【０１１０】
１００  ホーゼル
１０１  ゴルフクラブヘッド
１０２  ホーゼル中心線
１０４  仮想ホーゼル面
１０６  打撃面
１０８  トウ部分
１１０  ヒール部分
１１２  底部部分
１１６  前縁
１１４  上部部分
１１８  フェースセンタ
１８４ａ  外側面
１８４ｂ  内側面
１８６  おもり部材
１２０  ヒール−トウ軸
１２２  上部−底部軸
１２４  開孔
１２６  テンプレート
１２８  前面
１３０  最高点
１３２  後方最大拡張部
１３５  水平線
１３８  中心頂部
１３９  周縁
１４０  仮想の鉛直面
１４４  仮想鉛直面
１４８  第１の仮想鉛直面
１５０  第２の仮想鉛直面
１５１  前部トウ点
１５２  点
１５４  点
１６０  仮想水平面
１６４  仮想鉛直面
１６８  水平治具プレート
１５６  仮想平面
１５８  点
１７０  仮想の水平面
１８０  アダプタ
１８２  仮想の鉛直面
１９２  仮想線
１９４  第１の点
１９６  第２の点
１９８ａ  第１の面
１９８ｂ  第２の面
２００ａ  第１の横方向端点
２００ｂ  第２の横方向端点
２０４  第２の仮想境界線
２０６  仮想線
２０８  第１の点
２１０  第２の点
２１２  ３次元空間
２１４  第１の仮想水平面
２１６  第２の仮想水平面
２３４  位置決め体
２４２  凹凸のある輪郭部分
２４３ａ  凹凸輪郭部分
２４３ｂ  凹凸輪郭部分
２４３ｃ  凹凸輪郭部分
２４８  点
２５０  点
【図１】
0005793363.tif 000005
【図１（ａ）】
0005793363.tif 000006
【図１（ｂ）】
0005793363.tif 000007
【図１（ｃ）】
0005793363.tif 000008
【図２】
0005793363.tif 000009
【図３】
0005793363.tif 000010
【図４】
0005793363.tif 000011
【図５】
0005793363.tif 000012
【図６】
0005793363.tif 000013
【図７】
0005793363.tif 000014
【図８】
0005793363.tif 000015
【図９】
0005793363.tif 000016
【図１０】
0005793363.tif 000017
【図１１】
0005793363.tif 000018
【図１２（ａ）】
0005793363.tif 000019
【図１２（ｂ）】
0005793363.tif 000020
【図１２（ｃ）】
0005793363.tif 000021
【図１３（ａ）】
0005793363.tif 000022
【図１３（ｂ）】
0005793363.tif 000023
【図１３（ｃ）】
0005793363.tif 000024
【図１３（ｄ）】
0005793363.tif 000025
【図１３（ｅ）】
0005793363.tif 000026
【図１３（ｆ）】
0005793363.tif 000027
【図１３（ｇ）】
0005793363.tif 000028
【図１３（ｈ）】
0005793363.tif 000029
【図１３（ｉ）】
0005793363.tif 000030
【図１４（ａ）】
0005793363.tif 000031
【図１４（ｂ）】
0005793363.tif 000032
【図１４（ｃ）】
0005793363.tif 000033
【図１４（ｄ）】
0005793363.tif 000034
【図１４（ｅ）】
0005793363.tif 000035
【図１４（ｆ）】
0005793363.tif 000036
【図１４（ｇ）】
0005793363.tif 000037
【図１５】
0005793363.tif 000038
【図１６】
0005793363.tif 000039
【図１７】
0005793363.tif 000040
【図１８（ａ）】
0005793363.tif 000041
【図１８（ｂ）】
0005793363.tif 000042
【図１９（ａ）】
0005793363.tif 000043
【図１９（ｂ）】
0005793363.tif 000044
【図２０（ａ）】
0005793363.tif 000045
【図２０（ｂ）】
0005793363.tif 000046
【図２０（ｃ）】
0005793363.tif 000047
【図２１（ａ）】
0005793363.tif 000048
【図２１（ｂ）】
0005793363.tif 000049
【図２１（ｃ）】
0005793363.tif 000050
【図２２】
0005793363.tif 000051